【手続補正書】
【提出日】平成28年6月30日(2016.6.30)
【手続補正１】
【補正対象書類名】特許請求の範囲
【補正対象項目名】全文
【補正方法】変更
【補正の内容】
【特許請求の範囲】
【請求項１】
搬送されるシートの斜行補正のためにシートの先端と当接する当接面を備える当接部材と、
第１位置決め部を備え前記当接部材を保持する保持部材と、を有し、
前記当接部材は、前記第１位置決め部に対して位置決めされ前記当接面が前記シートの先端と当接する当接位置と、前記当接面が前記シートの先端と当接しない退避位置と、に移動可能であり、
前記保持部材は、位置決めされた第１位置と、前記第１位置から退避した第２位置と、に移動可能であり、
前記当接部材が前記当接位置に位置し且つ前記保持部材が前記第１位置に位置する待機状態で前記当接面が前記シートの先端に押されることにより、前記当接部材が前記第１位置決め部に位置決めされた状態で、前記保持部材は前記第１位置から離れる方向に移動し、
前記保持部材が前記第１位置から離れる方向に移動することで前記シートの先端が前記当接面から外れることにより、前記当接部材が前記シートの面に押されることで前記退避位置へ向かって移動した状態で、前記保持部材は前記第２位置から前記第１位置へ移動する、
ことを特徴とするシート搬送装置。
【請求項２】
前記当接部材を付勢する第２付勢手段を有し、
前記シートの後端が前記当接部材から離れると、前記当接部材は前記第２付勢手段によって前記位置決め部に位置決めされる、
ことを特徴とする請求項１に記載のシート搬送装置。
【請求項３】
前記保持部材を付勢する第１付勢手段を有する、
ことを特徴とする請求項１又は請求項２に記載のシート搬送装置。
【請求項４】
前記当接部材は、第１回転軸を中心に前記保持部材に対して回動可能である、
ことを特徴とする請求項１乃至請求項３のいずれか１項に記載のシート搬送装置。
【請求項５】
前記保持部材は、前記第１回転軸とは異なる第２回転軸を中心に回動可能である、
ことを特徴とする請求項４に記載のシート搬送装置。
【請求項６】
挟持部を形成し、前記シートを挟持搬送する搬送手段を有し、
前記保持部材が前記第１位置に位置する場合において、前記当接部材の前記当接面はシート搬送方向に関して前記挟持部の上流側に位置する、
ことを特徴とする請求項１乃至請求項５のいずれか１項に記載のシート搬送装置。
【請求項７】
前記搬送手段は、第１ローラと第２ローラを備えるローラ対であり、
前記保持部材及び前記当接部材は、前記第２ローラ側に設けられている、
ことを特徴とする請求項６に記載のシート搬送装置。
【請求項８】
前記保持部材が前記第１位置から前記第２位置に移動する場合、前記保持部材は前記シート搬送方向に沿って移動する、
ことを特徴とする請求項７に記載のシート搬送装置。
【請求項９】
前記シートが前記挟持部に挟持され前記保持部材が前記第２位置に位置する状態において、前記当接部材は、前記第１ローラより前記第２ローラ側に位置する、
ことを特徴とする請求項７又は請求項８に記載のシート搬送装置。
【請求項１０】
前記当接部材は、シート搬送方向と交差する幅方向において複数設けられ、
複数の前記当接部材は、前記保持部材に対して一体的に移動する、
ことを特徴とする請求項１乃至請求項９のいずれか１項に記載のシート搬送装置。
【請求項１１】
前記保持部材を前記第１位置に位置決めするためのストッパを有する、
ことを特徴とする請求項１乃至請求項１０のいずれか１項に記載のシート搬送装置。
【請求項１２】
請求項１乃至請求項１１のいずれか１項に記載のシート搬送装置と、
前記シート搬送装置により斜行が補正された状態で搬送されるシートに画像を形成する画像形成部と、を備えた、
ことを特徴とする画像形成装置。
【請求項１３】
搬送されるシートの先端と当接する当接面を備える当接部材と、
前記当接面が前記シートの先端と当接する当接位置と、前記当接面が前記シートの先端と当接しない退避位置と、に移動可能に前記当接部材を保持し、待機位置に位置する状態で前記当接部材の前記当接面が前記シートの先端に押されることにより、前記当接部材と共に前記待機位置から所定方向に移動する保持部材と、
前記保持部材の前記所定方向への移動によって前記シートの先端が前記当接面から外れた前記シートを搬送する搬送手段と、
前記当接部材が前記搬送手段により搬送される前記シートの面に接触した状態で、前記所定方向に移動した前記保持部材を前記待機位置に移動させるように、前記保持部材を付勢する第１付勢手段と、
前記保持部材が前記待機位置に位置する状態で、前記搬送手段により搬送される前記シートの後端が前記当接部材を離れることにより前記当接部材を前記退避位置から前記当接位置に移動させるように、前記当接部材を付勢する第２付勢手段と、を有する、
ことを特徴とするシート搬送装置。
【請求項１４】
前記第１付勢手段は、前記保持部材を前記所定方向と逆方向に移動させるように、前記保持部材を付勢する、
ことを特徴とする請求項１３に記載のシート搬送装置。
【請求項１５】
前記第１付勢手段によって前記逆方向に移動するように付勢される前記保持部材を位置決めするためのストッパを有する、
ことを特徴とする請求項１４に記載のシート搬送装置。
【請求項１６】
前記当接部材の前記当接面は、搬送される前記シートの前記先端に当接することで前記シートの斜行を補正可能である、
ことを特徴とする請求項１３乃至請求項１５のいずれか１項に記載のシート搬送装置。
【請求項１７】
前記当接部材は、第１回転軸を中心に前記保持部材に対して回動可能である、
ことを特徴とする請求項１３乃至請求項１６のいずれか１項に記載のシート搬送装置。
【請求項１８】
前記保持部材は、前記第１回転軸とは異なる第２回転軸を中心に回動可能である、
ことを特徴とする請求項１７に記載のシート搬送装置。
【請求項１９】
前記搬送手段は、第１ローラと第２ローラを備えるローラ対であり、
前記保持部材及び前記当接部材は、前記第２ローラ側に設けられている、
ことを特徴とする請求項１３乃至請求項１８のいずれか１項に記載のシート搬送装置。
【請求項２０】
前記当接部材は、シート搬送方向と交差する幅方向において複数設けられ、
複数の前記当接部材は、前記保持部材に対して一体的に移動する、
ことを特徴とする請求項１３乃至請求項１９のいずれか１項に記載のシート搬送装置。
【請求項２１】
前記保持部材は、前記第２付勢手段によって付勢される前記当接部材を前記保持部材に対して位置決めするための位置決め部を備える、
ことを特徴とする請求項１３乃至請求項２０のいずれか１項に記載のシート搬送装置。
【請求項２２】
前記シートの前記先端が前記当接面から外れたことを検知する検知手段を備える、
ことを特徴とする請求項１３乃至２１のいずれか１項に記載のシート搬送装置。
【請求項２３】
請求項１３乃至請求項２２のいずれか１項に記載のシート搬送装置と、
前記シート搬送装置により斜行が補正された状態で搬送されるシートに画像を形成する画像形成部と、を備えた、
ことを特徴とする画像形成装置。
【請求項２４】
シート搬送方向にシートを搬送する搬送手段と、
第１位置と前記第１位置とは異なる第２位置との間で移動可能な保持部材と、前記保持部材に対して当接位置と退避位置との間で相対的に移動可能に支持され、前記搬送手段によって搬送される前記シートの先端に当接して前記シートの斜行を補正可能な当接面を有する当接部材と、前記保持部材を前記第２位置から前記第１位置に向けて付勢する第１付勢手段と、前記当接部材を前記退避位置から前記当接位置に向けて付勢する第２付勢手段と、を有する斜行補正手段と、を備え、
前記斜行補正手段は、前記保持部材が前記第１位置に位置しかつ前記当接部材が前記当接位置に位置して、前記当接面に前記シートの先端が当接可能な第１状態と、前記保持部材が前記第２位置に位置しかつ前記当接部材が前記当接位置に位置して、前記シートの先端が前記当接面から離間する第２状態と、前記保持部材が前記第１位置に位置しかつ前記当接部材が前記退避位置に位置して、前記当接部材の前記当接面とは異なる面が前記シートの面に当接する第３状態と、を取り得る、
ことを特徴とするシート搬送装置。
【手続補正２】
【補正対象書類名】明細書
【補正対象項目名】０００９
【補正方法】変更
【補正の内容】
【０００９】
本発明は、シート搬送装置において、搬送されるシートの斜行補正のためにシートの先端と当接する当接面を備える当接部材と、第１位置決め部を備え前記当接部材を保持する保持部材と、を有し、前記当接部材は、前記第１位置決め部に対して位置決めされ前記当接面が前記シートの先端と当接する当接位置と、前記当接面が前記シートの先端と当接しない退避位置と、に移動可能であり、前記保持部材は、位置決めされた第１位置と、前記第１位置から退避した第２位置と、に移動可能であり、前記当接部材が前記当接位置に位置し且つ前記保持部材が前記第１位置に位置する待機状態で前記当接面が前記シートの先端に押されることにより、前記当接部材が前記第１位置決め部に位置決めされた状態で、前記保持部材は前記第１位置から離れる方向に移動し、前記保持部材が前記第１位置から離れる方向に移動することで前記シートの先端が前記当接面から外れることにより、前記当接部材が前記シートの面に押されることで前記退避位置へ向かって移動した状態で、前記保持部材は前記第２位置から前記第１位置へ移動する、ことを特徴とする。
また、シート搬送装置において、搬送されるシートの先端と当接する当接面を備える当接部材と、前記当接面が前記シートの先端と当接する当接位置と、前記当接面が前記シートの先端と当接しない退避位置と、に移動可能に前記当接部材を保持し、待機位置に位置する状態で前記当接部材の前記当接面が前記シートの先端に押されることにより、前記当接部材と共に前記待機位置から所定方向に移動する保持部材と、前記保持部材の前記所定方向への移動によって前記シートの先端が前記当接面から外れた前記シートを搬送する搬送手段と、前記当接部材が前記搬送手段により搬送される前記シートの面に接触した状態で、前記所定方向に移動した前記保持部材を前記待機位置に移動させるように、前記保持部材を付勢する第１付勢手段と、前記保持部材が前記待機位置に位置する状態で、前記搬送手段により搬送される前記シートの後端が前記当接部材を離れることにより前記当接部材を前記退避位置から前記当接位置に移動させるように、前記当接部材を付勢する第２付勢手段と、を有する、ことを特徴とする。
また、シート搬送装置において、シート搬送方向にシートを搬送する搬送手段と、第１位置と前記第１位置とは異なる第２位置との間で移動可能な保持部材と、前記保持部材に対して当接位置と退避位置との間で相対的に移動可能に支持され、前記搬送手段によって搬送される前記シートの先端に当接して前記シートの斜行を補正可能な当接面を有する当接部材と、前記保持部材を前記第２位置から前記第１位置に向けて付勢する第１付勢手段と、前記当接部材を前記退避位置から前記当接位置に向けて付勢する第２付勢手段と、を有する斜行補正手段と、を備え、前記斜行補正手段は、前記保持部材が前記第１位置に位置しかつ前記当接部材が前記当接位置に位置して、前記当接面に前記シートの先端が当接可能な第１状態と、前記保持部材が前記第２位置に位置しかつ前記当接部材が前記当接位置に位置して、前記シートの先端が前記当接面から離間する第２状態と、前記保持部材が前記第１位置に位置しかつ前記当接部材が前記退避位置に位置して、前記当接部材の前記当接面とは異なる面が前記シートの面に当接する第３状態と、を取り得る、ことを特徴とする。
【手続補正３】
【補正対象書類名】明細書
【補正対象項目名】００２５
【補正方法】変更
【補正の内容】
【００２５】
給送フレーム３３は、複数の搬送コロ３２及び複数の搬送ローラ３１により形成されるニップＮの上流側に、ガイドフレーム１５と共にシートＳをニップＮに案内する案内部３３ａを備えている。案内部３３ａは、ガイドフレーム１５と共同して、ニップＮの上流側でシートＳの厚さ方向における両側を規制してシートＳをニップＮに案内する。また、案内部３３ａ及びガイドフレーム１５は、シートＳが後述の係止部材（当接部材）７０の当接面７０ａに当接した後、湾曲してループを形成可能なループ形成部３４を構成している。シート搬送部３に搬送されたシートＳは、ループ形成部３４でループを形成することにより斜行が補正される。なお、本実施形態においては、案内部３３ａと共にニップＮにシートＳを案内させるガイドフレーム１５を別途設けたが、給送フレーム３３に案内部３３ａと共にシートＳをニップＮに案内するガイド部を設ける構成であってもよい。